(57)【要約】【課題】簡単な制御でフォーカス動作を迅速に実行できるようにして使い勝手を向上できる、小型化可能で構成が簡素で廉価なレンズ鏡筒を提供する。【解決手段】撮影領域を変更可能に構成したズームレンズ鏡筒２０に、撮影領域を切り換えるために、ユーザが操作するフォーカス指示部材７０を装着する。ズームレンズ鏡筒２０には、フォーカスレンズを移動操作して被写体像を合焦させるフォーカス動作を行う、フォーカス機構を装着する。合焦可能範囲の設定手段によって、フォーカス機構が被写体像を合焦させるためにフォーカスレンズを移動させる時の移動可能範囲を、フォーカス指示部材で指定された撮影領域に対応した合焦可能な狭い範囲に設定する。フォーカスレンズが合焦不能な範囲を移動する無駄を削減して動作の迅速化を図る。【選択図】図１
2010204356.tif 000002
【特許請求の範囲】
【請求項１】
撮影領域を変更可能に構成したレンズ鏡筒において、
前記撮影領域を切り換えるために、ユーザが操作するよう装着されたフォーカス指示部材と、
フォーカスレンズを移動操作して被写体像を合焦させるフォーカス動作を行うフォーカス機構と、
前記フォーカス機構が被写体像を合焦させるために前記フォーカスレンズを移動させる時の移動可能範囲を、前記フォーカス指示部材で指定された前記撮影領域に対応した合焦可能な範囲に設定する、合焦可能範囲の設定手段と、
を有することを特徴とするレンズ鏡筒。
【請求項２】
前記撮影領域を、ズームレンズによるズームの変倍に応じて切り換えられるように構成したことを特徴とする請求項１記載のレンズ鏡筒。
【請求項３】
前記合焦可能範囲の設定手段が、
前記フォーカス指示部材に設けた反射板と、
前記反射板に隣接するように、レンズ鏡筒部材に穿設した投光及び受光用の開口と、
前記投光及び受光用の開口から覗く前記反射板の一部分を検出するために、前記フォーカスレンズと一体的に移動するよう設置された位置センサーと、
前記フォーカス指示部材が前記撮影領域を指定するよう操作された状態で、前記投光及び受光用の開口から覗いている前記反射板の一部分を前記位置センサーが検出している範囲内で、前記フォーカスレンズを移動操作して被写体像を合焦させるフォーカス動作を行うよう前記フォーカス機構を駆動制御する制御部と、
を有することを特徴とする請求項１記載のレンズ鏡筒。
【請求項４】
前記フォーカス機構が、
前記フォーカスレンズを移動動作終了位置へ移動させるための駆動時間以上の駆動制御用の時間をセットする駆動タイマーと、
前記フォーカスレンズが移動動作終了位置で制止されている状態で、さらに制止に抵抗するよう駆動されたときに、前記フォーカスレンズを移動させる駆動力を切断するためのスリップ機構と、を備え、
前記駆動タイマーがセットした駆動制御用の時間だけ前記フォーカスレンズを移動させるよう駆動制御した際に、前記スリップ機構で前記フォーカスレンズを移動させる駆動力が切断されて前記フォーカスレンズが制止された状態を保つため、前記位置センサーの出力信号が変化しないことが検出された場合に、前記フォーカスレンズが移動動作終了位置にあることを、前記制御部が検知可能に構成したことを特徴とする請求項３記載のレンズ鏡筒。
【発明の詳細な説明】
【技術分野】
【０００１】
本発明は、カメラ等の撮像装置に搭載されているレンズ鏡筒に係わり、特に、カメラの焦点合わせをするためのレンズ（いわゆるフォーカスレンズ）の繰り出し及び繰り込みを行うレンズ鏡筒に関する。
【背景技術】
【０００２】
一般に、銀塩カメラやデジタルカメラには、撮影レンズや撮像素子を備えたレンズ鏡筒が装着されている。
【０００３】
このレンズ鏡筒は、非撮像時（すなわちカメラの電源がＯＦＦのとき）に、小型化して収納可能に構成する。またこのレンズ鏡筒は、撮像時（すなわちカメラの電源がＯＮのとき）に倍率の変更を可能にする又は焦点距離の変更を可能にする等のために、様々な技術開発が進められている。
【０００４】
近年のデジタルカメラの市場では、小型化し、高倍率化された高機能なレンズ鏡筒を求めるだけでなく、カメラ市場の低価格化に伴い、コストダウンも要求されている。このためデジタルカメラでは、小型化、高倍率化と共に、コストダウンに対する技術開発も進んでいる。
【０００５】
しかし、レンズ鏡筒で機構を小型化し高倍率化することは、機構が複雑となり電気回路等が多くなり、高い位置精度が要求される複雑な制御が必要となるので、コストアップの要因となっている。
【０００６】
そこで、従来のレンズ鏡筒では、位置制御を簡単に行うための様々な提案がなされている。例えば、鏡枠の塗装部と第１、第２の位置出力手段との間に反射率の低い部位を設ける。そして、鏡枠を収納位置から撮影可能位置まで駆動する際には、鏡枠の反射率の低い部位を検出することで正確に撮影可能位置まで制御を行なう。また撮影可能位置では、鏡枠の反射率の低い部位で、第１、第２の位置出力手段を位置信号検出手段により検出することで鏡枠の駆動を制御する。これにより、低コストで、しかも信頼性の高い制御を行なうことが可能となる（例えば、特許文献１参照）。
【０００７】
また、従来のレンズ駆動装置では、レンズを保持する円筒形状のレンズホルダに対して、このレンズホルダの外周を覆うように配置した回転筒をレンズの光軸を中心として回転可能に装着する。さらに、このレンズ駆動装置では、回転筒を外周側から回転自在に保持する保持部材を装着し、回転筒の回転によりレンズホルダを光軸方向に進退移動させるよう構成する。また、このレンズ駆動装置では、レンズホルダの外周に周囲と反射率の異なる反射部材を設ける。保持部材には、レンズホルダが原点位置にある時に、反射部材と対面する位置に開口を配置する。また、レンズホルダが原点位置に達した時に、開口を介して反射部材が光学的に検出されるようにする光学的位置検出手段を、開口に隣接して配置する。
【０００８】
この光学的位置検出手段は、レンズホルダが原点位置に達した時に、開口を介して、光学的に反射部材を検出する。これにより、撮影レンズの原点位置が検出される。このレンズ駆動装置では、上述のようにして検出したレンズの原点位置に基づいて、レンズ位置を高精度で制御する（例えば、特許文献２参照）。
【先行技術文献】
【特許文献】
【０００９】
【特許文献１】特開２００３−２９１２２号公報
【特許文献２】特開２００６−９１２６０号公報
【発明の概要】
【発明が解決しようとする課題】
【００１０】
しかしながら、レンズ鏡筒においては、レンズ等の位置を簡単に検出するだけで満足できるものではない。レンズ鏡筒では、レンズ鏡筒の機構を小型化し簡素化すると共に、その動作を迅速にし、制御を簡素化して廉価な製品を提供することが求められている。
【００１１】
本発明の目的は、簡単な制御でフォーカス動作を迅速に実行できるようにして使い勝手を向上できる、小型化可能で構成が簡素で廉価なレンズ鏡筒を提供することにある。
【課題を解決するための手段】
【００１２】
上記目的を達成するために、請求項１記載のレンズ鏡筒は、撮影領域を変更可能に構成したレンズ鏡筒において、前記撮影領域を切り換えるために、ユーザが操作するよう装着されたフォーカス指示部材と、フォーカスレンズを移動操作して被写体像を合焦させるフォーカス動作を行うフォーカス機構と、前記フォーカス機構が被写体像を合焦させるために前記フォーカスレンズを移動させる時の移動可能範囲を、前記フォーカス指示部材で指定された前記撮影領域に対応した合焦可能な範囲に設定する、合焦可能範囲の設定手段と、を有することを特徴とする。
【発明の効果】
【００１３】
本発明によれば、簡単な制御でフォーカス動作を迅速に実行できるようにして使い勝手を向上できる、小型化可能で構成が簡素で廉価なレンズ鏡筒を提供できる。
【図面の簡単な説明】
【００１４】
【図１】本発明の実施の形態に係わる、レンズ鏡筒を備えたカメラを示す概略斜視図である。
【図２】本発明の実施の形態のカメラ本体における撮影用の制御に係わる電気系統の概略構成を例示するブロック図である。
【図３】本発明の実施の形態に係わるカメラ本体のレンズ鏡筒に装着したフォーカス機構の要部を取り出して示す要部斜視図である。
【図４】フォーカス駆動モータ部を備えたフォーカス駆動装置部分を取り出して示す要部斜視図である。
【図５】テレビＡＦ方式で最もコントラスト信号が大きい位置を被写体距離とする原理を説明する説明図である。
【図６】本発明の実施の形態に係わるカメラ本体のレンズ鏡筒で、反射板が通常撮影領域の位置に設定された状態を示す要部説明図である。
【図７】本発明の実施の形態に係わるカメラ本体のレンズ鏡筒で、反射板を近接撮影領域（マクロ撮影領域）の位置に設定した状態を示す要部説明図である。
【図８】本発明の実施の形態に係わるカメラ本体のフォーカス装置における、通常撮影領域からマクロ領域へ切り換える際の状態を示す概略説明図である。
【図９】本発明の実施の形態に係わるカメラ本体のフォーカス装置における、マクロ領域から通常撮影領域へ切り換える際の状態を示す概略説明図である。
【図１０】本発明の実施の形態に係わるカメラ本体のフォーカス装置における、フォーカス指示部材が通常撮影領域にある場合の初期待機位置を示す概略説明図である。
【図１１】本発明の実施の形態に係わるカメラ本体のフォーカス装置における、電源をＯＮした時の状態を示す概略説明図である。
【図１２】本発明の実施の形態に係わるフォーカス装置を備えたカメラ本体において、ユーザが電源をＯＮしてから撮影をするまでの主だった動作の手順を示す、撮影処理のフローチャートである。
【図１３】本発明の実施の形態に係わるカメラ本体のフォーカス装置で、ユーザがレリーズボタンを押したときのフォーカス動作処理の手順を示すフローチャートである。
【図１４】本発明の実施の形態における他の構成例に係わる、ズーム機構及びフォーカス機構を備え、鏡筒に反射板を設けたレンズ鏡筒の機構要部を取り出して示す要部斜視図である。
【図１５】本発明の実施の形態における他の構成例に係わる、カム筒に設けられる、撮影レンズを備えたレンズ鏡筒を駆動する為のカム溝を展開して示す展開説明図である。
【発明を実施するための形態】
【００１５】
以下、本発明の実施の形態について図面を参照しながら説明する。
【００１６】
図１は、本発明の実施の形態に係わる、レンズ鏡筒を備えたカメラを示す概略斜視図である。
【００１７】
図１において、１０はカメラ本体であり、発光窓部４０、ファインダ窓５０、レリーズボタン６０、カメラの電源をＯＮ／ＯＦＦするための電源ボタン８０を備える。
【００１８】
カメラ本体１０の前面に配置される発光窓部４０は、被写体に照明光を照射するストロボ装置の一部を構成する。カメラ本体１０における発光窓部４０の近傍には、ファインダ窓５０が配置されている。カメラ本体１０の上面には、レリーズボタン６０が配置されている。このレリーズボタン６０は、撮像準備動作（ＡＦ動作及び測光動作）及び撮像動作（ＣＣＤ等の撮像素子への露光）を開始させるためのボタンである。
【００１９】
また、カメラ本体１０の前面には、レンズ鏡筒２０を一体的に装着する。このレンズ鏡筒２０は、撮像レンズの焦点距離を変更可能に構成する。このレンズ鏡筒２０の前面には、レンズバリア部３０を装着する。このレンズバリア部３０は、カメラの電源状態（即ち、ＯＮ又はＯＦＦ）に応じて、撮像レンズの光路を開閉するよう構成する。
【００２０】
また、レンズ鏡筒２０には、その外周面上の所定位置に、フォーカス指示部材７０を配設する。このフォーカス指示部材７０は、レンズ鏡筒２０の撮影領域を、例えば通常撮影領域又は近接撮影領域（マクロ領域）に切り換えて指定するために、ユーザが操作して指示するための切り換えスイッチである。このフォーカス指示部材７０では、ユーザがフォーカス指示部材７０を図１のＡ方向に移動操作することによって、撮影領域を通常撮影領域又は近接撮影領域に切り換え可能に構成されている。
【００２１】
このようなフォーカス指示部材７０を設けるのは、次の理由による。撮像レンズの焦点距離を変更可能に構成したレンズ鏡筒２０では、主に近接撮影領域（マクロ領域）において、オートフォーカスの動作を行う際のフォーカスレンズの移動量が大きくなる。そこで、フォーカス駆動領域を通常撮影領域とマクロ領域とに分ける。そして、通常撮影領域で撮影を行う時には、オートフォーカスの動作を行う際のフォーカスレンズの移動量を小さく設定してフォーカス駆動時間を短くする。これにより、通常撮影時には、オートフォーカスの動作時間を短縮して快適に撮影できるようにするためである。
【００２２】
また、撮像レンズの焦点距離を変更可能に構成したズームレンズ鏡筒２０では、ユーザが、通常撮影領域と、近接撮影領域（マクロ領域）とに切り換えて使用するものがある。このようなズームレンズ鏡筒２０では、通常撮影領域において被写体像が合焦するフォーカスレンズ９１の合焦位置が存在する通常撮影領域での合焦範囲がある。これと共に、このズームレンズ鏡筒２０では、近接撮影領域（マクロ領域）において被写体像が合焦するフォーカスレンズ９１の合焦位置が存在する近接撮影領域での合焦範囲がある。さらに、このズームレンズ鏡筒２０では、通常撮影領域での合焦範囲と、近接撮影領域での合焦範囲とが、その位置と範囲とを異にする。
【００２３】
よって、このズームレンズ鏡筒２０において、通常撮影領域を撮影するよう設定した状態でオートフォーカス動作を行う場合には、フォーカスレンズ９１を通常撮影領域での合焦範囲内で移動させれば、被写体像を合焦させられる。このため、通常撮影領域を設定してオートフォーカス動作を行う場合には、フォーカスレンズ９１を通常撮影領域以外で移動させる動作が無駄なものとなる。
【００２４】
また、このズームレンズ鏡筒２０において、近接撮影領域（マクロ領域）を撮影するよう設定した状態でオートフォーカス動作を行う場合には、フォーカスレンズ９１を近接撮影領域での合焦範囲内で移動させれば、被写体像を合焦させられる。このため、近接撮影領域を設定してオートフォーカス動作を行う場合には、フォーカスレンズ９１を近接撮影領域（マクロ領域）以外で移動させる動作が無駄なものとなる。
【００２５】
そこで、このズームレンズ鏡筒２０では、ユーザがフォーカス指示部材７０を操作して、ズームレンズによるズームの変倍に応じて、例えば、通常撮影領域と、近接撮影領域（マクロ領域）とに切り換え可能に構成する。
【００２６】
そして、フォーカス指示部材７０が通常撮影領域を指定する位置に移動操作された場合には、これに対応してフォーカスレンズ９１のオートフォーカス動作時の移動可能範囲が通常撮影領域での合焦範囲内となるように設定する。
【００２７】
これと共に、フォーカス指示部材７０が近接撮影領域（マクロ領域）を指定する位置に移動操作された場合には、これに対応してフォーカスレンズ９１のオートフォーカス動作時の移動可能範囲が近接撮影領域での合焦範囲内となるように設定する。
【００２８】
このズームレンズ鏡筒２０では、フォーカス指示部材７０の移動操作に対応して、フォーカスレンズ９１のオートフォーカス動作時の指定された撮影領域での合焦範囲を設定する合焦可能範囲の設定手段を設ける。このため、このズームレンズ鏡筒２０では、合焦可能範囲の設定手段を構成するために、フォーカス指示部材７０に反射板７１を配置する。なお、この指定された撮影領域での合焦範囲を設定する手段は、フォーカス指示部材７０で指定された撮影領域において、フォーカスレンズ９１のオートフォーカス動作時の移動可能範囲を設定するものである。
【００２９】
また、この指定された撮影領域での合焦範囲を設定する手段を構成するため、レンズ鏡筒部材１００には、投光及び受光用の開口１００ａを穿設する。さらに、このズームレンズ鏡筒２０では、投光及び受光用の開口１００ａに反射板７１が臨むように、フォーカス指示部材７０を通常撮影領域指定位置と近接撮影領域指定位置との間を移動操作可能に装着する。
【００３０】
そして、フォーカス指示部材７０が通常撮影領域指定位置に移動したときには、反射板７１が投光及び受光用の開口１００ａから覗いた一部分によって、通常撮影領域での合焦範囲を設定するように構成する。
【００３１】
また、フォーカスレンズ９１側には、フォーカスレンズ９１に連動するようフォトリフレクター等の位置センサーＥ０３を設置する。
【００３２】
そして、このズームレンズ鏡筒２０では、投光及び受光用の開口１００ａから覗いた反射板７１の一部分を、位置センサーＥ０３が検出することによって、通常撮影領域での合焦範囲を判別するように構成する。
【００３３】
フォーカス指示部材７０が通常撮影領域指定位置に移動したときには、反射板７１が投光及び受光用の開口１００ａから覗いた一部分によって、通常撮影領域での合焦範囲を設定するように構成する。
【００３４】
また、フォーカス指示部材７０が近接撮影領域指定位置に移動したときには、反射板７１が投光及び受光用の開口１００ａから覗いた他の一部分によって、近接撮影領域での合焦範囲を設定するように構成する。
【００３５】
そして、フォーカス指示部材７０が近接撮影領域指定位置に移動したときには、反射板７１が投光及び受光用の開口１００ａから覗いた他の一部分を、位置センサーＥ０３が検出することによって、近接撮影領域での合焦範囲を設定するように構成する。
【００３６】
次に、カメラ本体１０における電気系統の構成の要部について、図２により説明する。
【００３７】
図２は、本発明の実施の形態のカメラ本体１０における撮影用の制御に係わる電気系統の概略構成を例示するブロック図である。
【００３８】
図２で、Ｅ０１は、カメラの制御を行う制御部としての中央演算素子（ＣＰＵ）である。なお、この中央演算素子（ＣＰＵ）Ｅ０１は、レンズ鏡筒側に設置し又はカメラ側に設置しても良い。また、Ｅ６１はレリーズ第１スイッチであり、Ｅ６２はレリーズ第２スイッチである。これらレリーズ第１スイッチＥ６１及びレリーズ第２スイッチＥ６２は、ユーザがレリーズボタン６０を押し込む操作をしたことによって、レリーズ動作を開始させるためのスイッチである。
【００３９】
このレリーズ第１スイッチＥ６１を押し込んだ場合には、被写体距離算出動作（以後、フォーカス動作という）と、測光動作とを開始する。また、レリーズ第２スイッチＥ６２押し操作した場合には、露光を行う。
【００４０】
図２で、Ｅ０２は、撮像素子であり、フォーカス駆動時に被写体のコントラストを検出することによるフォーカス動作、ならびに露光時に撮影画像を得るための素子である。
【００４１】
図２で、Ｅ８０は、電源ボタン８０に取り付けられた電源スイッチである。電源スイッチＥ８０は、ＯＮ／ＯＦＦ操作されることによって、カメラの電源をＯＮ／ＯＦＦするよう構成されている。
【００４２】
なお、これらレリーズ第１スイッチＥ６１、レリーズ第２スイッチＥ６２、撮像素子Ｅ０２及び電源スイッチＥ８０は、従来から用いられているものと同様に構成する。
【００４３】
図２で、Ｅ０３は、フォーカス位置センサーである。このフォーカス位置センサーＥ０３は、センサーＥ０３が投光と受光とを行い、投光先の反射板の反射率の違いを検出して信号を出力する、いわゆるフォトリフレクターとして構成する。
【００４４】
図２で、Ｅ０４は、フォーカスレンズを駆動するための、フォーカス駆動モータである。
【００４５】
図２で、Ｅ０５は、フォーカス動作の動作時間を計測するために用いられる、フォーカス駆動タイマーである。
【００４６】
次に、カメラ本体１０のレンズ鏡筒２０に装着したフォーカス機構について、図３を用いて説明する。
【００４７】
図３は、本発明の実施の形態に係わるカメラ本体１０のレンズ鏡筒２０に装着したフォーカス機構の要部を取り出して示す要部斜視図である。
【００４８】
図３で、１０１は撮像素子やフォーカス機構を固定するベース部材であり、９１は、フォーカスレンズである。このフォーカスレンズ９１は、保持部材９０に保持されている。
【００４９】
このフォーカス機構では、フォーカスレンズ９１にフォーカス動作をさせるため、ベース部材１０１に対して、保持部材９０を光軸方向に直進移動可能に構成する。このため、ベース部材１０１には、ガイド軸９７を突設する。このフォーカス機構では、ガイド軸９７を、保持部材９０に設置されたガイド穴部９０ａに摺動自在に挿通することによって、保持部材９０が光軸方向に沿って直進移動するように構成する。
【００５０】
さらに、ベース部材１０１と保持部材９０との間には、フォーカスレンズ保持部材９０を片側に寄せるための片寄せばね９８を架設する。これと共に、ベース部材１０１と保持部材９０との間には、フォーカスレンズ保持部材９０の振れ止めを行う振れ止め部９９を設ける。
【００５１】
また、このフォーカス機構では、フォーカスユニットの外周部を構成する鏡筒であるレンズ鏡筒部材１００に配置された図示しない駆動係止部材によって、保持部材９０がフォーカス動作を行う必要領域以外の被写体方向へ駆動されることが制限される。
【００５２】
このレンズ鏡筒部材１００（説明容易のため、フォーカスユニット外周部の鏡筒の一部のみ示している）には、投光及び受光用の開口１００ａを穿設する。そして、この開口１００ａに臨むように、保持部材９０に、フォーカスレンズ位置センサーＥ０３を配置する。このフォーカスレンズ位置センサーＥ０３は、フォトリフレクターで構成する。
【００５３】
図３に示すように、レンズ鏡筒２０には、カメラの撮影者がフォーカスレンズの位置を指示するために用いるフォーカス指示部材７０を装着する。このフォーカス指示部材７０からフォーカスレンズ保持部材９０に取り付けられたフォーカスレンズ位置センサーＥ０３に対向する位置まで延出された端部には、反射板７１を配置する。すなわち、このレンズ鏡筒２０では、センサーＥ０３が、開口１００ａを通して投光及び受光を行うことにより、反射板７１を検出可能に構成されている。
【００５４】
また、このフォーカス機構では、フォーカスレンズ９１にフォーカス動作をさせるため、ベース部材１０１と保持部材９０との間に、保持部材９０を移動させるためのフォーカス駆動装置を装着する。このため、ベース部材１０１には、フォーカス駆動モータ部Ｅ０４を設置する。フォーカス駆動モータ部Ｅ０４の出力側には、駆動送りねじ９２を取り付ける。また、フォーカスレンズ保持部材９０には、駆動送りねじ９２とかみ合って、ねじ送り機構を構成する駆動ナット９３を配置する。このフォーカス駆動装置では、駆動送りねじ９２を回転駆動することにより、駆動送りねじ９２に螺合する駆動ナット９３と共に保持部材９０に保持されたフォーカスレンズ９１を移動して、焦点を合わせるためのフォーカス動作を行う。
【００５５】
次に、フォーカス駆動モータ部Ｅ０４を備えたフォーカス駆動装置について、図４により説明する。
【００５６】
図４は、フォーカス駆動モータ部Ｅ０４を備えたフォーカス駆動装置部分を取り出して示す要部斜視図である。なお、理解を容易にするため、図４では、フォーカス駆動モータ部Ｅ０４を取り付けるための取り付けねじ等の図示を省略している。
【００５７】
このフォーカス駆動装置では、フォーカス駆動モータＥ０４と駆動送りねじ９２との間の出力部に、いわゆるスリップ機構を配設する。このスリップ機構は、フォーカス駆動モータＥ０４が過負荷状態になると、フォーカス駆動モータＥ０４と駆動送りねじ９２との連結を切るように構成されている。
【００５８】
このためスリップ機構は、フォーカス駆動モータＥ０４の出力軸に固着されたばね受け部材９４に、駆動送りねじ９２の基端部に配置された受け部９２Ａを圧接させることにより、出力軸と一体に駆動送りねじ９２を回動させるよう構成する。
【００５９】
このスリップ機構では、駆動ばね９５によって、駆動送りねじ９２の受け部９２Ａをばね受け部材９４に所要の付勢力で圧接するよう構成する。なお、このスリップ機構では、駆動送りねじ９２のねじ方向への位置を規制する押さえ板９６が設けられている。このスリップ機構では、押さえ板９６と受け部９２Ａとの間に配置した駆動ばね９５によって、駆動送りねじ９２の受け部９２Ａをばね受け部材９４に圧接する構造となっている。
【００６０】
このスリップ機構は、通常時に駆動ばね９５の付勢力でばね受け部材９４と駆動送りねじ９２の受け部９２Ａとが圧接されたときの摩擦力で回転トルクを伝達し、駆動送りねじ９２を回動している。
【００６１】
このスリップ機構では、駆動ねじに過負荷がかかった時に、ばね受け部材９４と駆動ねじの受け部９２Ａとの間で空転することによって、フォーカス駆動モータＥ０４と駆動送りねじ９２との連結を断つ。
【００６２】
よって、フォーカス駆動装置にスリップ機構を設けた場合には、例えば、フォーカス駆動モータＥ０４が回転を続け、かつフォーカスレンズ保持部材９０が移動動作終了位置である駆動端にて停止したときに、スリップ機構で空回りする。
【００６３】
このように、移動動作終了位置で駆動端に当たってフォーカスレンズ保持部材９０が制止された場合には、スリップ機構で空回りし、フォーカス駆動モータＥ０４が制止に抵抗するよう駆動するときの駆動力を切断する。よって、このフォーカス機構では、フォーカス駆動モータＥ０４の駆動力でフォーカスレンズ保持部材９０を駆動する駆動力伝達系に無理な力が働くことをスリップ機構で調整できるので、フォーカス機構が壊れることを防止できる。
【００６４】
このように構成されたフォーカス機構は、ＣＰＵ（Ｅ０１）によって駆動制御される。ＣＰＵ（Ｅ０１）は、フォーカス駆動モータＥ０４に対する通電を制御することによって、フォーカスレンズ保持部材９０を光軸方向に進退させる動作を行わせる。これによりフォーカス機構では、フォーカスレンズ保持部材９０の進退に伴って、フォーカス指示部材７０とフォーカスレンズ位置センサーＥ０３との光軸方向の位置を相対的に変化させて、オートフォーカスの動作が実行される。
【００６５】
次に、カメラ本体１０のレンズ鏡筒２０に装着したフォーカス機構によって実行する、オートフォーカスの動作について説明する。
【００６６】
このレンズ鏡筒２０では、被写体からの光線を、撮影レンズを通し、さらにその中の一つであるフォーカスレンズ９１（図６乃至図１１に図示）を通して焦点を合わせることにより撮像素子Ｅ０２に結像して撮影を行うように構成されている。
【００６７】
このデジタルカメラであるカメラ本体１０におけるオートフォーカス機能は、いわゆるテレビＡＦ方式を採用している。
【００６８】
なお、従来、一般に用いられているテレビＡＦ方式は、フォーカスレンズ９１を被写体距離が∞である位置から、至近（近接撮影）側まで繰り出す動作を行い、この動作中に撮像素子Ｅ０２より出力された映像信号から被写体のコントラストを検出する。そして、このテレビＡＦ方式では、最もコントラスト信号が大きい位置（図５のＢ位置）を被写体距離とするものである。
【００６９】
次に、カメラ本体１０のレンズ鏡筒２０に装着したフォーカス機構を利用して撮影を行うときの動作について、図６乃至図１１に示すフォーカス機構を簡略化した機構図と、図１２及び図１３に示すフローチャートによって説明する。
【００７０】
このレンズ鏡筒２０に装着したカメラ本体１０における、カメラの電源をＯＮ操作してから撮影までの主な動作を図１２に示すフローチャートによって説明する。なお、このカメラ本体１０における撮影後の動作は、従来の一般的なディジタルカメラ（電子カメラ）における撮影後の動作と同様であるので、その説明を省略する。
【００７１】
このカメラ本体１０では、電源がＯＮ操作された時に、撮影レンズを所定の位置に駆動する（ステップＳ００１）。
【００７２】
次に、カメラ本体１０では、フォーカス駆動領域を決定する処理動作を実行する（ステップＳ００２）。
【００７３】
次に、カメラ本体１０では、被写体のコントラストを計測し被写体距離を算出する。その後、フォーカスレンズを所定の位置に駆動する合焦処理を実行する（ステップＳ００３）。
【００７４】
次に、カメラ本体１０では、撮像素子Ｅ０２により被写体の映像を撮影する露光動作を実行し、撮影までの主な動作を完了する（ステップＳ００４）。
【００７５】
次に、本実施の形態に係わる、レンズ鏡筒を備えたカメラにおける技術的な特徴となる、上述したフォーカス駆動領域を決定する処理動作（ステップＳ００２）の詳細について説明する。
【００７６】
このレンズ鏡筒のフォーカス装置を備えたカメラでは、被写体距離に応じてフォーカスレンズの駆動領域を変更し、オートフォーカス動作におけるフォーカスレンズ９１の移動量を削減し、オートフォーカスの動作を迅速に実行できるようにする。
【００７７】
このため、このレンズ鏡筒のフォーカス装置を備えたカメラでは、「通常撮影領域」と「近接撮影領域（マクロ撮影領域）」とを切り換えて、切り換えられた領域内でフォーカスレンズを移動してオートフォーカスの動作を行う。
【００７８】
そこで、このレンズ鏡筒のフォーカス装置を備えたカメラでは、反射板７１を利用して信号が明であると検知される領域内がフォーカスの駆動領域として決定されるように構成する。
【００７９】
そして、このレンズ鏡筒のフォーカス装置を備えたカメラでは、反射板７１を利用して決定される通常撮影領域内又は近接撮影領域（マクロ領域）内において、フォーカスレンズ９１を駆動することによりオートフォーカスの動作を行う。
【００８０】
このレンズ鏡筒のフォーカス装置を備えたカメラでは、ユーザが通常の撮影を行うためフォーカスレンズ支持部材７０を操作して反射板７１を通常撮影領域の位置に設定すると、図６に示すようになる。このときの反射板７１は、反射領域が（Ｄ＋Ｅ）である。
【００８１】
しかし、この反射板７１が通常撮影領域の位置に設定された状態では、（Ｄ＋Ｅ）の領域のうちＥの領域がレンズ鏡筒１００の穴部で遮光されるため、Ｅの領域はセンサーＥ０３の信号が暗になる。これと共に、この反射板７１が通常撮影領域の位置に設定された状態では、Ｃの領域に反射板７１がないため、センサーＥ０３の信号が暗になる。
【００８２】
つまり、この反射板７１が通常撮影領域の位置に設定された図６に示す状態では、フォーカスレンズ９１の駆動領域が、Ｄ部となる。
【００８３】
よって、レンズ鏡筒のフォーカス装置を備えたカメラでは、フォーカスレンズ９１を駆動領域としてのＤ部の範囲内で移動することにより、オートフォーカス動作を実行する。
【００８４】
すなわち、このレンズ鏡筒のフォーカス装置を備えたカメラでは、テレビＡＦ方式でオートフォーカスを実行する際、フォーカスレンズ９１を駆動領域として設定されたＤ部の範囲内で移動するオートフォーカス用の移動動作を行う。そして、このカメラでは、フォーカスレンズ９１が駆動領域Ｄ部の範囲内で移動動作中に撮像素子Ｅ０２より出力された映像信号から被写体のコントラストを検出し、最もコントラスト信号が大きい位置（図５のＢ位置）を被写体距離とする。
【００８５】
このレンズ鏡筒のフォーカス装置を備えたカメラでは、図６に示す反射板７１が通常撮影領域の位置に設定されたときに、フォーカスレンズ９１を駆動領域Ｄ部の狭い範囲内で移動してオートフォーカスを実行できる。よって、従来のテレビＡＦ方式の如くフォーカスレンズ９１を被写体距離が∞である位置から、至近（近接撮影）側まで繰り出す動作でオートフォーカスを行うのと比較してフォーカスレンズ９１の移動量を短くできる。これによりオートフォーカス動作を迅速に実行して、カメラの使い勝手を向上できる。
【００８６】
次に、このカメラでは、ユーザが近接撮影領域（マクロ撮影領域）での撮影を行うためフォーカスレンズ支持部材７０を操作して反射板７１を近接撮影領域（マクロ撮影領域）の位置に設定すると、図７に示す状態になる。この図７に示す状態では、反射板７１の領域が（Ｒ＋Ｓ）となるが、（Ｒ＋Ｓ）の領域のうちＲの領域がレンズ鏡筒１００の穴部で遮光されるため、センサーＥ０３の信号が暗になる。また、Ｔの領域は反射板７１がないため、センサーＥ０３の信号が暗になる。よって、この図７に示す状態では、フォーカスレンズ９１の駆動領域がＳ部に設定される。
【００８７】
よって、レンズ鏡筒のフォーカス装置を備えたカメラでは、フォーカスレンズ９１を駆動領域として設定されたＳ部の範囲内で移動することにより、オートフォーカス動作を実行する。
【００８８】
すなわち、このレンズ鏡筒のフォーカス装置を備えたカメラでは、テレビＡＦ方式でオートフォーカスを実行する際、フォーカスレンズ９１を駆動領域としてのＳ部の範囲内で移動するオートフォーカス用の移動動作を行う。そして、このカメラでは、フォーカスレンズ９１が駆動領域Ｓ部の範囲内で移動動作中に撮像素子Ｅ０２より出力された映像信号から被写体のコントラストを検出し、最もコントラスト信号が大きい位置（図５のＢ位置）を被写体距離とする。
【００８９】
このレンズ鏡筒のフォーカス装置を備えたカメラでは、図７に示す反射板７１がマクロ撮影領域の位置に設定されたときに、フォーカスレンズ９１を駆動領域Ｓ部の狭い範囲内で移動してオートフォーカスを実行できる。よって、従来のテレビＡＦ方式の如くフォーカスレンズ９１を被写体距離が∞である位置から、至近（近接撮影）側まで繰り出す動作でオートフォーカスを行うのと比較してフォーカスレンズ９１の移動量を短くできる。これによりオートフォーカス動作を迅速に実行して、カメラの使い勝手を向上できる。
【００９０】
また、このレンズ鏡筒のフォーカス装置を備えたカメラでは、ユーザがフォーカスレンズ支持部材７０を操作し、反射板７１の位置をセットすることによって、半自動的にフォーカスレンズ９１の駆動領域を変更することができる。
【００９１】
次に、センサーＥ０３、反射板７１及び駆動タイマーＥ０５を利用して、フォーカス駆動領域に対応したフォーカスレンズ９１の位置を検出するための手段について説明する。
【００９２】
まず、フォーカスレンズ９１の位置がセンサーＥ０３の明信号領域にある場合について説明する。この場合には、フォーカスレンズ支持部材７１を駆動した時のセンサーＥ０３の信号変化が、図８及び図９に示すようになる。
【００９３】
図８は、カメラ本体１０のフォーカス装置における、通常撮影領域からマクロ領域へ切り換える際の状態を示す概略説明図である。
【００９４】
図９は、カメラ本体１０のフォーカス装置における、マクロ領域から通常撮影領域へ切り換える際の状態を示す概略説明図である。
【００９５】
図８において、フォーカスレンズ支持部材７０を通常領域からマクロ領域に変更すると、センサーＥ０３の出力信号は、下記の（Ｗ）又は（Ｘ）のように変化する。
【００９６】
（Ｗ）  Ｆの領域にフォーカスレンズ９１がある時にフォーカスレンズ支持部材７０を移動されると、センサーＥ０３の信号は明から明と推移して変化しない。
【００９７】
（Ｘ）  Ｇの領域にフォーカスレンズ９１がある時には、フォーカスレンズ支持部材７０を移動させるとセンサーＥ０３の信号は明から暗に変化する。
【００９８】
また、図９において、フォーカスレンズ支持部材７０を、ユーザが近接撮影領域（マクロ領域）から通常撮影領域に移動操作すると、センサーＥ０３の出力信号は、下記の（Ｙ）又は（Ｚ）のように変化する。
【００９９】
（Ｙ）  フォーカスレンズ９１がＩの領域にある時に、フォーカスレンズ支持部材７０を移動させるとセンサーＥ０３の信号は明から明となり変化しない。
【０１００】
（Ｚ）  フォーカスレンズ９１がＪの領域にある時に、ユーザがフォーカスレンズ支持部材７０を、近接撮影領域（マクロ領域）から通常撮影領域に移動操作すると、センサーＥ０３の信号は明から暗に変化する。
【０１０１】
要するに、このカメラ本体１０のフォーカス装置では，反射板７１とセンサーＥ０３との関係から、上述の（Ｗ）〜（Ｚ）の状態を分別することができる。さらに、中央演算素子ＣＰＵ（Ｅ０１）は、センサーＥ０３の信号を検出しただけでは（Ｗ）〜（Ｚ）の態様を区別することができない。そこで、このフォーカス装置では、カメラの制御を変更することで、（Ｗ）と（Ｙ）の態様のときに通常動作で判別するための制御を行う。これと共に、このフォーカス装置では、（Ｘ）と（Ｚ）の態様のときに、共にセンサーＥ０３の信号が明から暗に変化するため、（Ｘ）の態様と（Ｚ）の態様とを判別できない。そこで、このフォーカス装置では、前述のスリップ機構と駆動タイマーＥ０５を用いて（Ｘ）の態様と（Ｚ）の態様とを判別するための制御を行う。
【０１０２】
次に、このフォーカス装置を備えたカメラで撮影する際に行われる、フォーカス動作の制御について、図１２及び図１３を参照して説明する。
【０１０３】
初めにカメラの電源ＯＮの動作について図１０乃至図１２を参照して説明する。
【０１０４】
図１１は、カメラ本体１０のフォーカス装置における、電源をＯＮした時の状態を示す概略説明図である。このカメラ本体１０で電源ＯＦＦ時には、センサーＥ０３の光は、反射板７１に到達しない。よって、この時のセンサーＥ０３の出力は、暗信号である。
【０１０５】
図１２は、このフォーカス装置を備えたカメラ本体１０において、ユーザが電源Ｅ８０をＯＮしてから撮影をするまでの主だった動作の手順を示す、撮影処理のフローチャートである。
【０１０６】
このカメラ本体１０では、ユーザが電源Ｅ８０をＯＮ操作するまで待機し（ステップＳ１０１）、ユーザ８が電源をＯＮにしたら次のステップＳ１０２へ進む（ステップＳ１０１でＹＥＳ）。
【０１０７】
次に、中央演算素子ＣＰＵ（Ｅ０１）は、電源ＯＦＦの収納位置にあるフォーカスレンズ９１を被写体側に移動させる制御を実行する（ステップＳ１０２）。
【０１０８】
次に、中央演算素子ＣＰＵ（Ｅ０１）は、センサーＥ０３の信号を取得する。この時のセンサーＥ０３の出力は、図１１に示すような状態で出力信号が推移することによってフォーカス駆動領域が決定される。この時のセンサーＥ０３の出力は、フォーカスレンズ９１の位置（フォーカスレンズ保持部材９０の位置）とフォーカスレンズ指示部材７０の反射板７１の位置とによって、出力信号が切換わるように推移する。
【０１０９】
これと共に、中央演算素子ＣＰＵ（Ｅ０１）は、センサーＥ０３の信号が暗から明に切換わった時の位置を検出する（ステップＳ１０４）。
【０１１０】
ここで、中央演算素子ＣＰＵ（Ｅ０１）は、フォーカスレンズ支持部材７０が通常領域にある場合に、図１０に示すように、センサーＥ０３の信号が切換わった時（ステップＳ１０４でＹＥＳ）のＫの位置でフォーカスレンズ９１を停止させる（ステップＳ１０５）。
【０１１１】
また、中央演算素子ＣＰＵ（Ｅ０１）は、図１１に示すように、フォーカスレンズ支持部材７０がマクロ領域にある場合に、センサーＥ０３の信号が切換わった時（ステップＳ１０４でＹＥＳ）のＬの位置でフォーカスレンズ９１を停止する（ステップＳ１０５）。
【０１１２】
よって、このカメラ本体１０では、ユーザがカメラの電源を入れることによって、中央演算素子Ｅ０１が制御動作を開始する。そして、中央演算素子Ｅ０１は、ユーザが移動操作したフォーカス支持部材７０に連動する反射板７１を検出するセンサーＥ０３の信号に基づいて、フォーカスレンズ９１を初期待機位置に移動させる制御ができる。
【０１１３】
このように中央演算素子Ｅ０１は、センサーＥ０３の信号の切換わりを検出した時（ステップＳ１０４でＹＥＳ）に、フォーカスレンズ９１の駆動を停止し（ステップＳ１０５）、撮影待機となる。また、中央演算素子Ｅ０１は、切換わりを検出しない時に、続けてステップＳ１０３に戻りフォーカスレンズの駆動を継続する（ステップＳ１０４でＮＯ）。この動作は、フォーカスレンズ９１が合焦位置に移動されるまで繰り返される。
【０１１４】
（フォーカス駆動領域シーケンスの説明）
次に、ユーザがレリーズボタン６０を押したときのフォーカス動作処理について、図１３を参照して説明する。まず、フォーカス駆動領域の決定（Ｗ〜Ｚの領域決定）について説明する。
【０１１５】
このカメラ本体１０では、ユーザがレリーズボタン６０を押してレリーズボタンＳＷ１（Ｅ６１）がＯＮされるまで撮影待機状態を続ける（ステップＳ２０１）。
【０１１６】
次に、このカメラ本体１０では、中央演算素子Ｅ０１が、レリーズボタンＳＷ１（Ｅ６１）がＯＮされたことを検知したときに（ステップＳ２０１でＹＥＳ）、センサーＥ０３の信号が明であるか否かを判定する（ステップＳ２０２）。
【０１１７】
中央演算素子Ｅ０１は、信号が明であると判定した場合に、前述の状態Ｗ又は状態Ｙの位置にフォーカスレンズが位置していると判別し（ステップＳ２０２でＹＥＳ）、フォーカスレンズ９１を結像面側に移動する（ステップＳ２０３）。この動作は、反射板７１の領域の端からフォーカスレンズ９１の移動を開始するために行う。
【０１１８】
次に、中央演算素子Ｅ０１は、センサーＥ０３の信号を取得する（ステップＳ２０４）。
【０１１９】
次に、中央演算素子Ｅ０１は、センサーＥ０３の信号が明から暗に切換わったかを判別する。（ステップＳ２０５）そして、中央演算素子Ｅ０１は、信号が切換わった位置を初期待機位置として認識する。この初期待機位置は、フォーカス指示部材７０が通常撮影領域の場合に図１０に示す位置となり、フォーカス指示部材７０がマクロ撮影領域の場合に図１１に示す位置となる。
【０１２０】
次に、中央演算素子Ｅ０１は、フォーカスレンズ９１を初期待機位置から被写体側に駆動する動作に伴って撮影像を合焦させる、フォーカス動作を行う（ステップＳ２０６）。そして、中央演算素子Ｅ０１は、被写体像が合焦した状態で撮影動作を行う（ステップＳ２０７）。
【０１２１】
この中央演算素子Ｅ０１は、撮影動作の終了時に、フォーカス動作処理を終了する。
【０１２２】
また、以上説明したように、このフォーカス動作処理では、ステップＳ２０２にてセンサーＥ０３の信号が明であると判定された場合には、フォーカスレンズ９１を反射板７１の端まで駆動して初期待機位置にセットする。よって、このフォーカス動作処理では、状態Ｗであっても状態Ｙであっても適切にフォーカス動作及び撮影動作を行うことができる。
【０１２３】
次に、このフォーカス動作処理において、ステップＳ２０２で信号が暗であると判断された場合について説明する。この場合には、前述した状態Ｘ又は状態Ｚの位置にフォーカスレンズ９１が位置していることになる。
【０１２４】
中央演算素子Ｅ０１は、フォーカスレンズ９１が状態Ｘ又は状態Ｚの位置にあるか否かを、フォーカスレンズ９１を繰り出す（被写体側へ移動する）ことによって判定する。
【０１２５】
中央演算素子Ｅ０１は、フォーカスレンズ９１を繰り出した際に、反射板７１に反射した光線を受けるセンサーＥ０３から明信号が出力された場合に、フォーカスレンズ９１が状態Ｘの位置にあると判定する。これは状態Ｘでは図８のＧの位置にフォーカスレンズ９１がいるため、フォーカスレンズ９１を繰り出していくことでＦの位置に移動するためである。
【０１２６】
また、中央演算素子Ｅ０１は、フォーカスレンズ９１を繰り出す動作をした際に、センサーＥ０３から明信号が出力されない場合に、フォーカスレンズ９１が状態Ｚの位置にあると判定する。この状態Ｚでは、フォーカスレンズ９１が図９のＪの位置にいるため、フォーカスレンズ９１を繰り出しても信号が暗から明に切り換わらないためである。
【０１２７】
つまり、このカメラ本体１０において中央演算素子Ｅ０１が両者を判別できるようにするためには、状態Ｘにおけるフォーカスレンズ９１の駆動時間以上に、フォーカスレンズ９１を駆動するよう構成すれば良い。このように構成した場合に中央演算素子Ｅ０１は、センサーＥ０３から明信号が得られなければ、フォーカスレンズ９１が状態Ｚにあると判定できる。
【０１２８】
そこで、この図１３に示すフォーカス動作処理では、ステップＳ２０２で信号が暗であると判断した場合に駆動タイマーＥ０５に対して、状態Ｘのときにフォーカスレンズ９１を駆動する時間以上の駆動制御用の時間をセットする。すなわち、このフォーカス動作処理では、駆動タイマーＥ０５に対してフォーカスレンズを移動動作終了位置へ移動させるための駆動時間以上の駆動制御用の時間をセットすることになる。
【０１２９】
次に、中央演算素子Ｅ０１は、フォーカスレンズ９１を被写体側に移動するよう制御する（ステップＳ２０９）。そして、中央演算素子Ｅ０１は、フォーカスレンズ９１の移動中に、センサーＥ０３の信号が暗から明に切り換わったかを判定する（ステップＳ２１０）。中央演算素子Ｅ０１は、切り換わったと判別した場合に、前述のように状態Ｘであると判別し（ステップＳ２１０でＹＥＳ）、フォーカス動作を行う（ステップＳ２０５）。また、中央演算素子Ｅ０１は、切り換わっていないと判断した場合（ステップＳ２１０でＮＯ）に、駆動タイマーＥ０５の設定時間内であるかの判定をする（ステップＳ２１１）。
【０１３０】
そして、中央演算素子Ｅ０１は、駆動タイマーＥ０５の設定時間の経過前であると判断した場合に、ステップＳ２０９に戻る。これにより中央演算素子Ｅ０１は、駆動タイマーＥ０５の設定時間が経過するまで、フォーカスレンズ９１を被写体側へ駆動する制御のルーチンを繰り返す。
【０１３１】
次に、中央演算素子Ｅ０１は、駆動タイマーＥ０５の設定時間が経過してもセンサーＥ０３の信号が切換わらないと判断した場合に、フォーカスレンズ９１が状態Ｚの位置にいると判定する。すなわち、中央演算素子Ｅ０１は、位置センサーＥ０３の出力信号が変化しないことが検出された場合に、フォーカスレンズ９１が移動動作終了位置にあることが検知可能となる。
【０１３２】
またこのとき、フォーカスレンズ９１は、図示しないが、駆動端にて移動動作が制止された状態となる。しかし、このカメラ本体１０では、前述したようにフォーカスレンズ９１に過負荷がかかった場合に、駆動モータＥ０４と駆動送りねじ９２との間で空転するスリップ機構（スリップメカ）が介在する構成であるため、フォーカス機構が壊れることはない。すなわち、このカメラ本体１０では、スリップ機構でフォーカスレンズ９１を移動させる駆動力が切断されてフォーカスレンズ９１が制止された状態を保つ。
【０１３３】
このように、フォーカスレンズ９１が状態Ｚに位置している場合には、フォーカス動作を行うため、中央演算素子Ｅ０１がフォーカスレンズ９１を結像面側に駆動する必要がある。
【０１３４】
そこで前述のように、中央演算素子Ｅ０１は、フォーカスレンズ９１を領域Ｚから結像面側に駆動する。（ステップＳ２０３）すると、センサーＥ０３の信号は、暗から明そして暗へと切換わるので、適切にフォーカスレンズ９１の駆動領域を設定することが可能となる。
【０１３５】
このカメラ本体１０における中央演算素子Ｅ０１は、上述したように、フォーカスレンズの９１の駆動領域を設定した後に、Ｓ２０６へ進みフォーカス動作処理を実行する（ステップＳ２０６）。
【０１３６】
この後、中央演算素子Ｅ０１は、撮影動作処理（ステップＳ２０７）を実行して、フォーカス動作処理を終了する。
【０１３７】
以上説明したように、本実施の形態では、従来から用いられている、撮像素子Ｅ０２による被写体コントラスト検出（テレビＡＦ）により、フォーカスレンズ９１を移動操作して被写体像を合焦させる、フォーカス動作を行っている。また、本発明の実施の形態では、テレビＡＦによるフォーカス動作以外のフォーカスレンズ９１の駆動制御を、センサーＥ０３、反射板７１及び駆動タイマーＥ０５を用いて実行する構成である。
【０１３８】
よって、本実施の形態では、フォーカス機構的にも電気回路的にも非常に簡単な構成で適切にフォーカス領域を変更することができる。また、本実施の形態では、フォーカス駆動領域の決定に位置制御を必要としない。すなわち、フォーカス機構用の駆動モータＥ０４は、位置制御を必要としないＤＣモータで構成できる。
【０１３９】
また、ステッピングモータを用いた従来のフォーカス機構は、複雑な制御を必要とする。これに対して本実施の形態では、簡単な制御で実現可能である。また、本実施の形態では、ステッピングモータよりも安価なＤＣモータを利用することによりカメラ本体１０のコストダウンが可能になる。
【０１４０】
さらに、ボイスコイルモータを用いた従来のフォーカス機構では、高価な検出素子を用い、位置の制御を必要とする。しかし、本実施の形態では、位置制御を必要としないので、駆動モータＥ０４としてボイスコイルモータを利用すると共に、高価な検出素子を必要としないので、廉価なフォーカス機構を提供できる。
【０１４１】
なお、本実施の形態では、フォーカス機構にスリップ機構を用いたものについて説明したが、フォーカスレンズの駆動領域を十分にとることにより、スリップ機構を不要とし、さらなるコストダウンを可能とする。また、従来の構成では、レンズの初期位置の位置出しのため、検出素子や電気回路が複雑な構成となって、非常に高価であった。
【０１４２】
しかしながら、本実施の形態では、非常に簡素な構成であるため、廉価なレンズ鏡筒を提供することができる。また、本実施の形態では、フォーカスレンズ９１の位置を、非接触式のセンサーＥ０３で検知可能に構成したため、レンズ鏡筒機構やフォーカス機構に負荷をかけることがない。よって、鏡筒をスムーズに駆動できるので、品位の高い鏡筒を提供することができる。
【０１４３】
さらに、本実施の形態では、相対的に動作する２つの部材（フォーカスレンズ指示部材７０及びセンサーＥ０３）と、制御タイマー（駆動タイマーＥ０５）とを持つことによって、適切にフォーカス動作を行っている。このズーム機構等の構成は、相対移動する２つの部材を利用したその他の機構を適用して構成しても良い。
【０１４４】
次に、本発明を、ズーム機構及びフォーカス機構を備えたレンズ鏡筒に適用した構成例について、図１４及び図１５によって説明する。
【０１４５】
図１４は、ズーム機構及びフォーカス機構を備え、鏡筒に反射板を設けたレンズ鏡筒の機構要部を取り出して示す要部斜視図である。
【０１４６】
図１４において、１１０は、レンズ鏡筒を駆動するカム筒である。図１５に示すように、カム筒１１０には、撮影レンズを備えたレンズ鏡筒を駆動する為のカム溝１１１を設ける。なお、このレンズ鏡筒に構成するズーム機構は、従来のものと同様であるので、その説明を省略する。
【０１４７】
図１５に示すように、カム筒１１０には、複数のカム溝１１１が、光軸を中心として１２０°の位相で配置されている。このカム溝１１１は、カム筒１１０を光軸方向に駆動するために被写体側に伸びるよう形成されている。
【０１４８】
このため、２本のカム溝１１１の間には、カム溝１１１がない空きの領域がある。そこで、カム溝がない領域にレンズ鏡筒のズームポジションに応じて各反射板７１を貼り付ける。このように構成したカム筒１１０は、ズーム動作に応じて回転するため、フォーカスレンズ９１とセンサーＥ０３とに対して各反射板７１が相対的に移動する。このため、各反射板７１に反射した光線を受けるセンサーＥ０３の出力信号は、ズームポジションに対応した各反射板７１の位置に応じて切換わることになる。
【０１４９】
よって、本構成例では、フォーカス駆動領域の決定フローチャートにて前述したように、フォーカス駆動領域を決定する動作をズームポジションに応じた動作とする。これにより、ユーザが行ったズーム操作に連動して各反射板７１が所定位置に移動してセンサーＥ０３の出力信号により適切にフォーカス領域が決定されるので、適切なフォーカス動作を行うことが可能になる。また、本構成例では、センサーＥ０３としてフォトリフレクターを用いたが、非接触式のセンサーを利用できる。この非接触式のセンサーは、例えば、磁力を検出するホール素子等を利用して構成しても良い。
【０１５０】
なお、本発明は、上述した実施の形態に限定されるものでは無く、本発明の要旨を逸脱しない範囲で、その他種々の構成を採り得ることは勿論である。
【符号の説明】
【０１５１】
１０  カメラ本体
２０  レンズ鏡筒
７０  フォーカス指示部材
７１  反射板
９０  保持部材
９１  フォーカスレンズ
１００  レンズ鏡筒部材
１００ａ  投光及び受光用の開口
【図１】
2010204356.tif 000003
【図２】
2010204356.tif 000004
【図３】
2010204356.tif 000005
【図４】
2010204356.tif 000006
【図５】
2010204356.tif 000007
【図６】
2010204356.tif 000008
【図７】
2010204356.tif 000009
【図８】
2010204356.tif 000010
【図９】
2010204356.tif 000011
【図１０】
2010204356.tif 000012
【図１１】
2010204356.tif 000013
【図１２】
2010204356.tif 000014
【図１３】
2010204356.tif 000015
【図１４】
2010204356.tif 000016
【図１５】
2010204356.tif 000017